(57)【要約】【課題】グレアの発生を抑止しながらも高い照明効率を実現し得る天井照明システム及びそれに用いる照明器具を提供する。【解決手段】天井に形成した下向き開口の凹溝Ａ２の底側に、ＬＥＤ素子２ａを凹溝Ａ２の溝長方向に沿って並設し、少なくとも凹溝Ａ２の縦断面視で表面が下向き凸形状に形成された集光用の凸レンズ部３ａをＬＥＤ素子２ａの表側に配し、凹溝Ａ２の左右両側壁１Ａ、１Ａによる光遮断により凹溝Ａ２の溝幅方向でのＬＥＤ素子２ａからの直接光の照射角αを制限し、且つ、凸レンズ部３ａによる凹溝Ａ２の溝長方向での集光作用により凹溝Ａ２の溝長方向でのＬＥＤ素子２ａからの直接光の照射角βを制限する構成にする。【選択図】図４
2014044830.tif 000002
【特許請求の範囲】
【請求項１】
光源としてのＬＥＤ素子を天井側に並設して構成してある天井照明システムであって、
天井に形成した下向き開口の凹溝の底側に、前記ＬＥＤ素子を凹溝の溝長方向に沿って並設するとともに、
少なくとも前記凹溝の縦断面視で表面が下向き凸形状に形成された集光用の凸レンズ部をＬＥＤ素子の表側に配し、
前記凹溝の左右両側壁による光遮断により凹溝の溝幅方向でのＬＥＤ素子からの直接光の照射角を制限し、且つ、前記凸レンズ部による凹溝の溝長方向での集光作用により凹溝の溝長方向でのＬＥＤ素子からの直接光の照射角を制限する構成にしてある天井照明システム。
【請求項２】
複数の前記ＬＥＤ素子の夫々の表側に前記凸レンズ部を各別に配してある請求項１記載の天井照明システム。
【請求項３】
前記凸レンズ部を、表面が天井面に沿う方向で且つ前記凹溝の溝長方向に交差する方向を軸方向とする部分円筒形状又はそれに近い形状の蒲鉾型に構成してある請求項１又は２記載の天井照明システム。
【請求項４】
請求項１〜３のいずれか１項に記載の天井照明システムに用いる照明器具であって、
天井に対する取付け状態で前記凹溝を形成するように底壁部と左右の両側壁部とを設けて構成された照明ボックスの底壁部側に、複数の前記ＬＥＤ素子を配備するとともに、
前記凸レンズ部を備えたレンズカバーを前記照明ボックスにおける前記ＬＥＤ素子の表側に装着してある照明器具。
【発明の詳細な説明】
【技術分野】
【０００１】
本発明は、光源としてのＬＥＤ素子を天井側に並設して構成された天井照明システム、及び、それに用いる照明器具に関する。
【背景技術】
【０００２】
従来、この種の天井照明システムとしては、多数のＬＥＤ素子を並設した板状のベースフレームを天井面に取り付けるとともに、そのベースフレームの表側に半透明色又は乳白色の拡散カバーを装着したものがある（例えば、下記特許文献１参照）。
【０００３】
つまり、この天井照明システムでは、ＬＥＤ素子を拡散カバーで覆うことで、指向性（換言すれば直進性）の強いＬＥＤ素子の光を均一に拡散照射するようにし、これにより、目に入った際の不快グレアの発生を防止しながら、白熱灯や蛍光灯を光源とする天井照明システムよりも高い照明効率を実現している。
【先行技術文献】
【特許文献】
【０００４】
【特許文献１】特開２０１２−１２９１２７号公報（図１〜図３）
【発明の概要】
【発明が解決しようとする課題】
【０００５】
しかしながら、上記従来の天井照明システムでは、拡散カバーを透過するときの光の損失が大きいため、照明効率の面では十分とは言い難く、この点に未だ改善の余地があった。
【０００６】
本発明は、上述の実状に鑑みて為されたものであって、その主たる課題は、合理的な改良により、グレアの発生を抑止しながらも高い照明効率を実現し得る天井照明システム、及び、それに用いられる照明器具を提供する点にある。
【課題を解決するための手段】
【０００７】
本発明の第１特徴構成は、光源としてのＬＥＤ素子を天井側に並設して構成してある天井照明システムであって、
天井に形成した下向き開口の凹溝の底側に、前記ＬＥＤ素子を凹溝の溝長方向に沿って並設するとともに、
少なくとも前記凹溝の縦断面視で表面が下向き凸形状に形成された集光用の凸レンズ部をＬＥＤ素子の表側に配し、
前記凹溝の左右両側壁による光遮断により凹溝の溝幅方向でのＬＥＤ素子からの直接光の照射角を制限し、且つ、前記凸レンズ部による凹溝の溝長方向での集光作用により凹溝の溝長方向でのＬＥＤ素子からの直接光の照射角を制限する構成にしてある点にある。
【０００８】
つまり、上記構成によれば、凹溝の溝幅方向において、凹溝の左右両側壁による光遮断によりＬＥＤ素子からの直接光の照射角を制限することで、ＬＥＤ素子からの直接光の照射エリアをＬＥＤ素子の直下側に縮小させ、且つ、ＬＥＤ素子からの直接光の照射方向を通常の人の視線に近い水平とのなす角が大きなものにするから、その分、照明対象空間における凹溝の溝幅方向視（更には、凹溝の溝長方向に交差する方向視）においてＬＥＤ素子の直接光が人の目に入り難くすることができ、これにより、照明対象空間における平面視で凹溝の溝長方向に交差する方向の視線において不快グレアが発生するのを抑止することができる。
【０００９】
また、凹溝の溝長方向では、前記凸レンズ部による溝長方向での集光作用によりＬＥＤ素子からの直接光の照射角を制限することで、ＬＥＤ素子からの直接光の照射角をＬＥＤ素子の直下側に縮小させ、且つ、ＬＥＤ素子からの直接光の照射方向を通常の人の視線に近い水平とのなす角が大きなものにするから、その分、照明対象空間における凹溝の溝長方向視（更には、平面視で凹溝の溝幅方向に交差する方向の視線）においてＬＥＤ素子の直接光が人の目に入り難くすることができ、これにより、照明対象空間における平面視で凹溝の溝幅方向に交差する方向の視線において不快グレアが発生するのを抑止することができる。
【００１０】
すなわち、この構成によれば、凹溝の左右両側壁による照射角制限と、凸レンズによる照射角制限とにより、照明対象空間における天井面に沿う各方向視での不快グレアの発生を抑止することができるから、光の損失を招く先述の拡散カバーを不存にすることが可能となり、拡散カバーを不存にする分だけ照明効率を高めることができる。さらに、凸レンズによる集光作用により床面に到達する光の強さも高めることができる。
【００１１】
それ故に、不快グレアの発生を抑止しながらも、高い照明効率を実現することが可能になる。
【００１２】
しかも、例えば、消灯時においてＬＥＤ素子が目立ち過ぎると見苦しく感じられてしまう虞もあるが、この構成によれば、凹溝の左右両側壁による隠蔽作用により照明対象空間においてＬＥＤ素子を目立ち難くすることができるから、このような不都合も未然に抑止することができる。
【００１３】
なお、前記凹溝は、天井面に埋め込み状態で形成されたものに限らず、天井面から下方に突出する状態で形成されたものであってもよい。
【００１４】
本発明の第２特徴構成は、複数の前記ＬＥＤ素子の夫々の表側に前記凸レンズ部を各別に配してある点にある。
【００１５】
つまり、この構成によれば、ＬＥＤ素子それぞれの光を凸レンズ部それぞれで各別に集光させるから、例えば、二個のＬＥＤ素子を一組として、その一組のＬＥＤ素子の光を一個の凸レンズ部で集光させるのに比べ、個々のＬＥＤ素子の光に対応する状態で個々のＬＥＤ素子の光を効果的に集光させることができ、照明効率を更に一層高めることができる。
【００１６】
本発明の第３特徴構成は、前記凸レンズ部を、天井面に沿う方向のうちで前記凹溝の溝長方向に交差する方向を軸方向とする部分円筒形状又はそれに近い形状の表面を有した蒲鉾型に構成してある点にある。
【００１７】
つまり、例えば、部分球面型の凸レンズ部のように、凸レンズ部を天井面に沿う各方向で集光作用を生じさせる構造とする場合では、高い精度が要求される集光用の曲面設計や曲面加工が天井面に沿う各方向で必要となるために設計コストや製造コストが嵩み易く、また、天井面に沿う各方向で集光作用を生じさせるために天井照明としては照射面積が小さくなり過ぎて床面に照度ムラが生じ易い。
【００１８】
これに対して、凸レンズ部を蒲鉾型に構成する上記構成によれば、集光用の曲面設計や加工が溝長方向に沿う一方向で済むため、集光用の曲面設計や曲面加工の複雑化により設計コストや製作コストが嵩む不都合を回避することができ、また、天井面に沿う一方向でのみで集光作用を生じさせるから、照射面積が小さくなり過ぎて床面に照度ムラが生じることも抑止することができる。
【００１９】
本発明の第４特徴構成は、第１〜第３特徴構成のいずれかに記載の天井照明システムに用いる照明器具であって、
天井に対する取付け状態で前記凹溝を形成するように底壁部と左右の両側壁部とを設けて構成された照明ボックスの底壁部側に、複数の前記ＬＥＤ素子を配備するとともに、
前記凸レンズ部を備えたレンズカバーを前記照明ボックスにおける前記ＬＥＤ基板の表側に装着してある点にある。
【００２０】
上記構成によれば、ＬＥＤ素子とレンズカバーを備えた前記照明ボックスを天井面に取り付けることで、第１〜第３特徴構成に記載の天井照明システムを構築することができるから、不快グレアの発生を抑止しながら高い照明効率が得られる天井照明システムを簡単に構築することができる。
【図面の簡単な説明】
【００２１】
【図１】建物内空間の斜視図
【図２】天井照明システムの要部の斜視図
【図３】天井照明システムの要部の横断面図
【図４】（ａ）天井照明システムによる光照射状態を示す横断面模式図、（ｂ）天井照明システムによる光照射状態を示す縦断面模式図
【図５】その他の実施形態における天井照明システムの光照射状態を示す横断面模式図
【発明を実施するための形態】
【００２２】
図１は、本発明に係る天井照明システムを採用した建物内空間を示し、この天井照明システムは、下向き開口の多数のスリット状の凹溝Ａ１を天井面Ｃに沿う一方向に所定ピッチで並列状に分散形成するとともに、それら凹溝Ａ１の夫々に、ＬＥＤ素子２ａ（図２参照）の多数個を長手方向に沿う状態で備えた照明器具Ｔを凹溝Ａ１の溝長方向に所定ピッチで分散配置して構成してある。
【００２３】
図２、図３に示すように、前記照明器具Ｔは、天井への取付け状態（つまり、天井面Ｃに形成した凹溝Ａ１に取付けた状態）で凹溝Ａ１と略同形状の凹溝Ａ２を形成するよう側壁部１Ａと底壁部１Ｂを設けて構成された金属製の照明ボックス１の底側に、多数のＬＥＤ素子２ａを長手方向に沿って備えたＬＥＤ取付け板２を配備するとともに、後述する集光用の多数の凸レンズ部３ａを長手方向に沿って備えた樹脂製のレンズカバー３を照明ボックス１の内部におけるＬＥＤ取付け板２の表側（室内側）に装着して構成してある。
【００２４】
なお、照明ボックス１の側壁部１Ａは凹溝Ａ２の側壁を構成し、照明ボックス１の底壁部１Ｂは凹溝Ａ２の底壁を構成する。
【００２５】
前記照明ボックス１は、図２、図３に示すように、天井側への取付け部４Ｄと天井形成材ｃ１の取付け部４Ｅを備えた金属製の型材からなる同形状の左右一対の側板（側板部の一例）４、４と、両側板４、４の上下中間部に亘らせた金属製の底板（底板部の一例）５としての前記ＬＥＤ取付け板２とから構成してある。つまり、本例では、照明ボックス１の底板５とＬＥＤ取付け板２とを兼用する構成にしてある。
【００２６】
前記側板４は、図３に示すように、前記照明ボックス１の側壁部１Ａを内側面の一部で兼用構成する第１縦板部４Ａと、該第１縦板部４Ａの上端部から左右幅方向の外方側に水平姿勢で突出する横板部４Ｂと、該横板部４Ｂの外端部から上方側に延びる第２縦板部４Ｃとを主要構成として備える。
【００２７】
前記第１縦板部４Ａの外側面には、石膏ボード等の天井形成材ｃ１を取付けビス６（取付け手段の一例）で取付けるための第１取付け板部４ａ（天井形成材ｃ１の取付け部４Ｅの一例）を左右幅方向外方側に向かって水平姿勢で一体的に突出形成してある。つまり、当該照明ボックス１は、天井形成材ｃ１の取付け具に兼用構成してある。
【００２８】
この第１取付け板部４ａは、天井形成材ｃ１及びそれの下面に配設される天井仕上材ｃ２を取付けた状態で天井面Ｃ（つまり、天井仕上材ｃ２の下面）と第１縦板部４Ａの下端とが面一又略面一となるように、２層の天井形成材ｃ１と１層の天井仕上材ｃ２の合計厚み分だけ第１縦板部４Ａの下端から上方に偏倚させた部位に形成してある。
【００２９】
前記第２縦板部４Ｃの上端部には、Ｃ型鋼からなる野縁受け（天井下地材の一例）Ｂに取付けるための第２取付け板部４ｂ（天井側への取付け部４Ｄの一例）を左右幅方向外方に向かって水平姿勢で突出形成してあり、この第２取付け板部４ｂを取付け金具７（取付け具の一例）により野縁受けＢの下側フランジｂ１に挟持固定することで、当該照明ボックス１を天井側に取付ける。
【００３０】
なお、前記取付け金具７に代えて取付けビスや取付けネジ等で第２取付け板部４ｂを野縁受けＢの下側フランジｂ１に固定するようにしてもよい。
【００３１】
前記横板部４Ｂの左右幅方向中間部には、ＬＥＤ取付け板２の取付け用の板金製の取付け金具８を取付けネジ９（取付け具の一例）で取付けるためのネジ孔（図示省略）を長手方向に沿って所定ピッチで形成してある。
【００３２】
前記取付け金具８は、縦姿勢の中間板部８Ａの上端側に前記横板部４Ｂの上面に取付けるための第１取付け板部８Ｂを左右幅方向外方側に向かって水平姿勢で突出形成するとともに、中間板部８Ａの下端側にＬＥＤ取付け板２を取付けるための第２取付け板部８Ｃを左右幅方向内方側に向かって水平姿勢で突出形成して構成してある。
【００３３】
前記取付け金具８の第１取付け板部８Ｂには、取付けネジ９が挿通可能な挿通孔（図示省略）を長手方向に沿って所定ピッチで形成してある。
【００３４】
そして、取付け金具８の第１取付け板部８Ｂを側板４の横板部４Ｂの上面に重合させ、且つ、取付け金具８の中間板部８Ａを側板４の第１縦板部４Ａの内面に重合させた状態で、取付け金具８の第１取付け板部８Ｂの挿通孔を通して側板４の横板部４Ｂのネジ孔に対して裏側から取付けネジ９を螺じ込むことにより、取付け金具８の第１取付け板部８Ｂと側板４の横板部４Ｂとを締結状態で取付けてある。
【００３５】
また、前記取付け金具８の第２取付け板部８Ｃには、ＬＥＤ取付け板２を取付けネジ１０（取付け具の一例）で取付けるためのネジ孔（図示省略）を長手方向に沿って所定ピッチで形成してある。
【００３６】
前記ＬＥＤ取付け板２は、図２、図３に示すように、表側にＬＥＤ素子２ａの多数個を長手方向に沿って所定ピッチで備え、且つ、裏側に天井裏で商用電源線を接続するための電源接続端子（図示省略）を備えた帯板状の基板部２Ａに、該基板部２Ａよりも表側（図３中の下側）に位置する状態でレンズカバー３を取付け可能なレンズカバー用の取付け部２Ｂ（図３参照）と、当該ＬＥＤ取付け板２を側板４側（詳しくは、側板４に取付けた取付け金具８の取付け板部８Ｃ）に取付けるための取付け部２Ｃを設けて構成してある。
【００３７】
前記ＬＥＤ素子２ａの多数個は、前記電源接続端子に商用電源線を接続した状態で点灯可能なように基板部２Ａ上において電線又はプリント配線（図示省略）などで電源接続端子に接続されている。
【００３８】
図３に示すように、ＬＥＤ取付け板２の基板部２Ａの左右幅方向の両端部には、左右一対の側板部２Ｄを表側（図中下側）に向かって突出形成するとともに、各側板部２Ｄの内面先端側には、前記レンズカバー３の左右幅方向外端部３Ｂの厚みに対応する溝幅を有する内向き開口の取付け溝２ｂ（前記取付け部２Ｂの一例）を形成してある。
【００３９】
つまり、レンズカバー３は、両取付け溝２ｂの夫々にレンズカバー３の左右幅方向の外端部３Ｂの各々を入り込み配置することで、該基板部２Ａよりも表側に位置する状態で、且つ、凹溝Ａ２の開口面よりも裏側（凹溝Ａ２の底側）に位置する状態でＬＥＤ取付け板２に取付けてある。
【００４０】
ＬＥＤ取付け板２の側板部２Ｄの外面先端側には、前記取付け金具８の第２取付け板部８Ｃに取付けるための取付け板部２ｄ（前記取付け部２Ｃの一例）を左右幅方向外方側に向かって水平姿勢で突出形成してある。この取付け板部２ｄには、取付けネジ１０が挿通可能な挿通孔（図示省略）を長手方向に沿って所定ピッチで形成してある。
【００４１】
そして、このＬＥＤ取付け板２の取付け板部２ｄを取付け金具８の第２取付け板部８Ｃの下面に重合させる状態で、ＬＥＤ取付け板２の取付け板部２ｄの挿通孔を通して取付け金具８の第２取付け板部８Ｃのネジ孔に対して表側（室内側）から取付けネジ９を螺じ込むことにより、ＬＥＤ取付け板２の取付け板部２ｄを取付け金具８の第２取付け板部８Ｃに締結状態で取付け、これにより、ＬＥＤ取付け板２を照明ボックス１及び天井に対して凹溝２Ａの底側に位置する状態で取付けてある。
【００４２】
つまり、この天井照明システムは、図４（ａ）に示すように、照明ボックス１の左右両側板（前記凹溝Ａ２の左右両側壁）１Ａ、１Ａによる光遮断によって、凹溝Ａ２の溝幅方向（図４（ａ）中の左右幅方向、図２中のＸ方向）でのＬＥＤ素子２ａからの直接光の照射角αを左右両側板１Ａ、１Ａの間を通して照射可能な範囲に制限する構成にしてある。
【００４３】
図２、図３、図４（ｂ）に示すように、前記レンズカバー３の左右幅方向中間部３Ａには、少なくとも凹溝Ａ２の縦断面視（及び、レンズカバー３の縦断面視）で表面（図中の下面）が下向き凸形状に形成された集光用の多数の凸レンズ部（換言すれば、少なくとも凹溝Ａ２の溝長方向で集光作用を有する多数の凸レンズ部）３ａを、レンズカバー３の長手方向である凹溝Ａ２の溝長方向（図４（ｂ）中の左右幅方向、図２中のＺ方向）に沿って連続形成してある。
【００４４】
前記凸レンズ部３ａの各々は、ＬＥＤ取付け板２側のＬＥＤ素子２ａの各々に対応する位置・ピッチ（間隔）で、且つ、１個のＬＥＤ素子２ａに対応するサイズで形成してある。つまり、レンズカバー３をＬＥＤ取付け板２Ａに取付けた状態において、多数のＬＥＤ素子２ａの夫々の表側に凸レンズ部３ａを各別に配置するようにしてあり、これにより、凸レンズ部３ａの各々により個々のＬＥＤ素子２ａの光を効果的に集光させる。
【００４５】
つまり、この天井照明システムは、図４（ｂ）に示すように、凸レンズ部３ａの各々による凹溝Ａ２の溝長方向での集光作用によって、凹溝Ａ２の溝長方向での各ＬＥＤ素子２ａからの直接光の照射角を照射角βに制限（更に、凹溝Ａ２の溝長方向での器具全体としての照射角を照射角βに制限）する構成にしてある。
【００４６】
なお、レンズカバー３の左右幅方向外端部３Ｂは、前述したようにＬＥＤ取付け板２に対する取付け部を構成する。
【００４７】
すなわち、この天井照明システムは、凹溝Ａ２の溝幅方向では、凹溝Ａ２の左右両側壁１Ａによる光遮断によりＬＥＤ素子２ａからの直接光の照射角αを制限することで、ＬＥＤ素子２ａからの直接光の照射エリアをＬＥＤ素子２ａの直下側に縮小させ、且つ、ＬＥＤ素子２ａからの直接光の照射方向を通常の人の視線に近い水平とのなす角が大きなものにするから、その分、照明対象空間における凹溝Ａ２の溝幅方向視（更には、平面視で凹溝Ａ２の溝長方向に交差する方向の視線）において、ＬＥＤ素子２ａの直接光が人の目に入り難くし、これにより、平面視で凹溝Ａ２の溝長方向に交差する方向の視線において不快グレアが発生するのを抑止する。
【００４８】
また、凹溝Ａ２の溝長方向では、凸レンズ部３ａによる凹溝Ａ２の溝長方向での集光作用によりＬＥＤ素子２ａからの直接光の照射角βを制限することで、ＬＥＤ素子２ａからの直接光の照射エリアをＬＥＤ素子２ａの直下側に縮小させ、その分、且つ、ＬＥＤ素子２ａからの直接光の照射方向を通常の人の視線に近い水平とのなす角が大きなものにするから、照明対象空間における凹溝Ａ２の溝長方向視（更には、平面視で凹溝Ａ２の溝幅方向に交差する方向の視線）において、ＬＥＤ素子２ａの直接光が人の目に入り難くし、これにより、平面視で凹溝Ａ２の溝幅方向に交差する方向の視線において不快グレアが発生するのを抑止する。
【００４９】
そして、この天井照明システムは、上述のように、凹溝Ａ２の左右両側壁１Ａによる照射角制限と、凸レンズ部３ａによる照射角制限とにより、天井面Ｃに沿う各方向視での不快グレアの発生を抑止し得ることで、不快グレアの発生を防止し得るものの光の損失を招いていた従来の拡散カバー（透明色又は乳白色の拡散カバー）を不存としてあり、これにより、不快グレアの発生を抑止しながらも高い照明効率を得る。
【００５０】
しかも、この天井照明システムは、凹溝Ａ２の左右両側壁１Ａ、１Ａによる隠蔽作用により照明対象空間において照明部分（つまり、ＬＥＤ素子２ａ及びレンズカバー３）を目立ち難くすることで、点灯時は勿論、消灯時において照明部分が目立ち過ぎて見苦しく感じられてしまう不都合を未然に抑止する。
【００５１】
なお、凹溝Ａ２の溝幅方向での前記照射角α、凹溝Ａ２の溝長方向での前記照射角βは、室内の照度設計に応じて適宜に設定すればよい。
【００５２】
図２〜図４に示すように、前記凸レンズ部３ａの各々は、天井面Ｃに沿う方向のうちで凹溝Ａ２の溝長方向（図２中のＺ方向）に交差する方向の一例として、凹溝Ａ２の溝幅方向（図２中のＸ方向）を軸方向とする部分円筒形状又はそれに近い形状の表面を有した蒲鉾型に構成してある。
【００５３】
つまり、この天井照明システムは、凸レンズ部３ａの各々を上述の蒲鉾型に構成することで、集光用の曲面設計や加工が溝長方向に沿う一方向で済み、且つ、天井面Ｃに沿う一方向でのみで集光作用を生じさせるようにし、これにより、部分球面型のように凸レンズ部３ａを天井面Ｃに沿う各方向で集光作用を生じさせる構成にするのに比べ、集光用の曲面設計や曲面加工を単純化するとともに、高い照度を得ながらも照度ムラが発生することも抑止する。
【００５４】
〔その他の実施形態〕
（１）前述の実施形態では、ＬＥＤ素子２ａを底側に備える凹溝Ａ２を天井面Ｃよりも上方側に形成する場合を例に示したが、例えば、図５に示すように、天井面Ｃに取付けるなどによって天井面Ｃよりも下方側に形成してもよい。
【００５５】
（２）前述の実施形態では、ＬＥＤ素子２ａの表面の夫々に凸レンズ部３ａの夫々を各別に配する場合を例に示したが、例えば、ＬＥＤ素子２ａの複数個（例えば２個）を一組とし、その一組のＬＥＤ素子２ａを覆い得るサイズに凸レンズ部を構成することで、ＬＥＤ素子２ａの組毎に凸レンズ部を配するようにしてもよい。
【００５６】
また、例えば、照明器具Ｔに配備された多数個のＬＥＤ素子２ａの全てを覆い得るサイズに凸レンズ部を構成することで、全てのＬＥＤ素子２ａに対して単一の凸レンズ部を配するようにしてもよい。
【００５７】
（３）前述の実施形態では、凸レンズ部３ａとして、凹溝Ａ２の溝幅方向を軸方向とする部分円筒形状又はそれに近い形状の表面を有した蒲鉾型のものを例に示したが、天井面Ｃに沿う各方向での断面形状が円弧状（中央ほど下方に位置する円弧状）となる部分球面型のものなどであってもよい。
【００５８】
（４）前述の実施形態では、凸レンズ部３ａを凹溝Ａ２の開口面よりも裏側（凹溝Ａ２の底側）に位置させる場合を例に示したが、凹溝Ａ２の開口面又はそれよりも表側に位置させるようにしてもよい。
【符号の説明】
【００５９】
Ａ１、Ａ２    凹溝
１            照明ボックス
１Ａ          側壁部（凹溝の側壁）
１Ｂ          底壁部（凹溝の底壁）
２ａ          ＬＥＤ素子
３            レンズカバー
３ａ          凸レンズ部
α、β        照射角
【図１】
2014044830.tif 000003
【図２】
2014044830.tif 000004
【図３】
2014044830.tif 000005
【図４】
2014044830.tif 000006
【図５】
2014044830.tif 000007